(57)【要約】      （修正有）【課題】筐体に着脱可能に装着されるディスクドライブ装置を有する機器において、ディスクドライブ装置の着脱方向と直交する２方向(左右方向・上下方向)の固定を確実に行なう。【解決手段】筐体側に設けられるスロット１５と、ディスクドライブ装置側に設けられ、スロット１５に挿入されてディスクドライブ装置を所定位置に案内するガイドレール３０と、を有し、ガイドレール３０がスロット１５に挿入された状態では、突起３１ａが固定板２２に当接することで梁部が歪み、その応力によってガイドレール３０がスロット１５に押し付けられてディスクドライブ装置の左右方向の固定が行なわれ、隆起部３７がテーパ溝３９に嵌合することによってガイドレール３０がスロット１５に押し付けられてディスクドライブ装置の上下方向の固定が行なわれる。【選択図】図９
2006302353.tif 000002
【特許請求の範囲】
【請求項１】
筐体に着脱可能に装着されるディスクドライブ装置を固定するための構造であって、
上記筐体側に設けられるスロットと、上記ディスクドライブ装置側に設けられ、上記スロットに挿入されて上記ディスクドライブ装置を所定位置に案内するガイドレールと、を有し、上記スロットと上記ガイドレールの間には、ディスクドライブ装置の着脱方向と直交する第１の方向及び第２の方向の固定を行なう第１及び第２の固定手段が構成され、
上記第１の固定手段は、上記ガイドレールに設けられ、一部に突起を有する梁部と、この梁部に対応して上記スロット側に設けられる固定板と、により成り、上記ガイドレールが上記スロットに挿入された状態では、上記突起が上記固定板に当接することで上記梁部が歪み、その応力によって上記ガイドレールが上記スロットに押し付けられて上記ディスクドライブ装置の第１の方向の固定が行なわれ、
上記第２の固定手段は、上記ガイドレールに形成されたテーパ状の隆起部と、この隆起部に対応して上記スロット側に設けられたテーパ溝と、により成り、上記ガイドレールが上記スロットに挿入された状態では、上記隆起部が上記テーパ溝に嵌合することによって上記ガイドレールが上記スロットに押し付けられて上記ディスクドライブ装置の第２の方向の固定が行なわれることを特徴とするディスクドライブ装置の固定構造。
【請求項２】
上記ガイドレールには、上記梁部の内側に、上記梁部の歪み応力を増大させる弾性補助部材が組み込まれていることを特徴とする請求項１に記載のディスクドライブ装置の固定構造。
【請求項３】
上記ガイドレールにおいて、上記隆起部は、上記テーパ溝に対し小さい傾斜角度のテーパに形成されていることを特徴とする請求項１に記載のディスクドライブ装置の固定構造。
【請求項４】
筐体に着脱可能に装着されるディスクドライブ装置であって、
上記筐体に設けられたスロットに挿入されてディスクドライブ装置を所定位置に案内するガイドレールを有し、このガイドレールと上記スロットの間には、ディスクドライブ装置の着脱方向と直交する第１の方向及び第２の方向の固定を行なう第１及び第２の固定手段が構成され、
上記ガイドレールには、上記第１の固定手段を構成する一部に突起を有する梁部と、上記第２の固定手段を構成するテーパ状の隆起部と、が設けられ、上記ガイドレールが上記スロットに挿入された状態では、上記スロット側に設けられた固定板に上記突起が当接することで上記梁部が歪み、その応力によって上記ガイドレールが上記スロットに押し付けられて第１の方向の固定が行なわれると共に、上記スロット側に設けられたテーパ溝に上記隆起部が嵌合することによって上記ガイドレールが上記スロットに押し付けられて第２方向の固定が行なわれる構造を有することを特徴とするディスクドライブ装置。
【請求項５】
上記ガイドレールには、上記梁部の内側に、上記梁部の歪み応力を増大させる弾性補助部材が組み込まれていることを特徴とする請求項４に記載のディスクドライブ装置。
【請求項６】
上記ガイドレールにおいて、上記隆起部は、上記テーパ溝に対し小さい傾斜角度のテーパに形成されていることを特徴とする請求項４に記載のディスクドライブ装置。
【請求項７】
ディスクドライブ装置が着脱可能に装着される筐体であって、
上記ディスクドライブ装置に設けられたガイドレールが挿入されて上記ディスクドライブ装置を所定位置で保持するスロットを有し、このスロットと上記ガイドレールの間には、ディスクドライブ装置の着脱方向と直交する第１の方向及び第２の方向の固定を行なう第１及び第２の固定手段が構成され、
上記スロットには、上記ガイドレールに設けられた一部に突起を有する梁部に対応して設けられ、上記第１の固定手段を構成する固定板と、上記ガイドレールに設けられたテーパ状の隆起部に対応して設けられ、上記第２の固定手段を構成するテーパ溝と、を有し、上記ガイドレールが上記スロットに挿入された状態では、上記固定板に上記突起が当接することで上記梁部が歪み、その応力によって上記ガイドレールが上記スロットに押し付けられて上記ディスクドライブ装置の第１の方向の固定が行なわれると共に、上記テーパ溝に上記隆起部が嵌合することによって上記ガイドレールが上記スロットに押し付けられて上記ディスクドライブ装置の第２方向の固定が行なわれる構造を有することを特徴とする筐体。
【発明の詳細な説明】
【技術分野】
【０００１】
本発明は、筐体に着脱可能に装着されるディスクドライブ装置を確実に固定するための固定構造に関する。
【背景技術】
【０００２】
近年、放送局やケーブルテレビなどのＡＶ機器においては、記録再生ストレージとしてテープに変わりハードディスクを使用したシステム(ハードディスクアレイユニット)が頻繁に使われ始めている。このシステムは、一つのユニット内に複数のハードディスクドライブ(ＨＤＤ)装置を搭載し、大容量及び高速転送レートを実現している。また、ＨＤＤに冗長性を持たせることで、ＨＤＤが故障してもそのＨＤＤ内のデータを修復することが可能である。つまり、１台のＨＤＤが故障してもシステムを停止させることなく故障したＨＤＤを交換することができる。よって、システム動作中にＨＤＤが容易に交換できなくてはならない。動作中のＨＤＤは外部からの振動・衝撃に非常に弱いため、交換時は十分に注意しなければならない。
【０００３】
このシステムにおけるＨＤＤの着脱は、多くがレバーによって行われている。その主な理由としては、ＨＤＤをなるべく多く搭載させる必要性から、固定機構を設けるにはスペースが少ないことと、特別な機構はコストアップになることである。このレバーによる着脱構造では、ＨＤＤの着脱は容易に行うことが可能ではあるが、ＨＤＤを固定する力が弱い。そこで従来は、例えば下記の特許文献１に開示される装置のように、レバーに簡単なロック機構を設け、これによってＨＤＤの着脱方向の固定を行なうようにしたものが実施されている。
【特許文献１】特開２０００−１４９５２１号公報
【発明の開示】
【発明が解決しようとする課題】
【０００４】
しかしながら、このようにレバーによってＨＤＤの固定を行なうようにした機構では、ＨＤＤの着脱方向の固定は確実に行なわれるが、それ以外の方向については固定が充分ではなく、多少のガタつきがある。このことは、車載時などの振動・衝撃に非常に弱いＨＤＤにとって致命的である。また、外部からの振動・衝撃だけでなく、ＨＤＤの自己振動のような高周波で微小な変位も抑えることができず、エラーの発生に繋がる。
【０００５】
このように、ＨＤＤの固定は、システムとしての信頼性に大きく関わってくるため、着脱方向以外の方向に対してどれだけ確実に固定するかが重要になる。
本発明は斯かる点に鑑みてなされたもので、ディスクドライブ装置の着脱方向と直交する２方向(左右方向・上下方向)の固定を確実に行なうことができ、強い振動・衝撃にも耐えることが可能な固定構造を実現することを目的とする。
【課題を解決するための手段】
【０００６】
上記の目的を達成するものとして本発明は、
筐体に着脱可能に装着されるディスクドライブ装置を固定するための構造であって、
筐体側に設けられるスロットと、ディスクドライブ装置側に設けられ、スロットに挿入されてディスクドライブ装置を所定位置に案内するガイドレールと、を有し、スロットとガイドレールの間には、ディスクドライブ装置の着脱方向と直交する第１の方向(左右方向)及び第２の方向(上下方向)の固定を行なう第１及び第２の固定手段が構成され、
第１の固定手段は、ガイドレールに設けられ、一部に突起を有する梁部と、この梁部に対応してスロット側に設けられる固定板と、により成り、ガイドレールがスロットに挿入された状態では、突起が固定板に当接することで梁部が歪み、その応力によってガイドレールがスロットに押し付けられてディスクドライブ装置の第１の方向の固定が行なわれ、
第２の固定手段は、ガイドレールに形成されたテーパ状の隆起部と、この隆起部に対応してスロット側に設けられるテーパ溝と、により成り、ガイドレールがスロットに挿入された状態では、隆起部がテーパ溝に嵌合することによってガイドレールがスロットに押し付けられてディスクドライブ装置の第２の方向の固定が行なわれることを特徴とするものである。
【発明の効果】
【０００７】
本発明によれば、ネジ等を使用することなくディスクドライブ装置の着脱方向と直交する２方向(左右方向・上下方向)の固定を確実に行なうことができ、強い振動・衝撃にも耐えることが可能で、かつ容易に着脱可能な構造を実現することができる。
【発明を実施するための最良の形態】
【０００８】
以下、図面を参照しながら本発明の実施例について詳細に説明する。
図１は、ＡＶ機器の記録再生ストレージに用いられるハードディスクアレイユニットの全体構成を示す斜視図、図２はこのハードディスクアレイユニットに搭載されるハードディスクドライブ(以下ＨＤＤ)装置を示す斜視図、図３はこのＨＤＤ装置が装着されるユニットの筐体(シャーシ)を示す斜視図である。
【０００９】
図１に示す如く、本例のハードディスクアレイユニット１は、筐体２内にＨＤＤ装置３を最大１５台まで搭載可能に構成されている。このユニット１に搭載されるＨＤＤ装置３は、図２に示すように、板金製のキャディ４にＨＤＤ本体３Ａとインターフェース基板５を夫々ネジ止めによって固定した組体として構成され、ここでＨＤＤ本体３Ａとインターフェース基板５はＳＡＴＡコネクタ６で接続されており、ＨＤＤのインターフェースが変更されてもインターフェース基板５の変更を行なうことで、全体構造の変更なしに適応できるようになっている。インターフェース基板５には、筐体側のマザーボード基板と接続するためのコネクタ７が取り付けられている。
【００１０】
ＨＤＤ装置３は、これを垂直に立てた状態で筐体２に対し着脱可能に装着されるものであり、キャディ４の上下面には、着脱時の案内部材となるガイドレール３０がネジ止めによって取り付けられている。またキャディ４の前部には把手部８が設けられており、ＨＤＤ装置３の着脱時にはこの把手部８を手で掴んでＨＤＤ装置３を出し入れするものである。さらにこの把手部８の上下においてキャディ４の前部にはセルフロックレバー９が取り付けられており、後述するようにこのセルフロックレバー９によってＨＤＤ装置３の着脱方向の固定が行なわれるようになっている。
【００１１】
このＨＤＤ装置３が装着される筐体２は、図３に示すように、前面が開放された箱型の板金製シャーシであり、その前面開放部からＨＤＤ装置３が挿入される。筐体２の内部には、挿入されたＨＤＤ装置３を案内して保持するスロット１５が上下に対向して設けられている。
【００１２】
このスロット１５の詳細を図４に示す。このスロット１５は、アルミニウムを押し出し成形して形成されるスロット板１６に、一対のレール１７と１８がＨＤＤ装置の着脱方向に沿って平行に突出形成されて成り、この一対のレール１７と１８の間でＨＤＤ３のガイドレール３０が案内されてＨＤＤ装置３が所定位置に保持される。本例では、この一対のレール１７と１８が所定間隔をおいてスロット板１６上に１５組並んで設けられている。
【００１３】
またこのスロット１５では、スロット板１６の裏側に板金１９が配置固定されており、この板金１９の前端部はスロット１５の入口側で上方に向って鉤形に折り曲げられてロック板部２０と成され、後述するようにこのロック板部２０にセルフロックレバー９が係合することでＨＤＤ装置３の着脱方向の固定が行なわれる。また板金１９の後端部は、スロット１５の最深部側で垂直に折り曲げられてストッパー部２１と成されており、ＨＤＤ装置３がスロット１５の奥まで挿入された際にはこのストッパー部２１にＨＤＤ装置３のガイドレール３０の後端突き当て部３０ａが突き当たって止まるようになっている。
【００１４】
さらに筐体２には、図３に示す如くスロット１５の奥にマザーボード基板２５が配置されており、このマザーボード基板２５上には、スロット１５に挿入されるＨＤＤ装置３に対応してコネクタ２６が取り付けられている。そして、ＨＤＤ装置３がストッパー部２１に突き当たるまで挿入された状態では、このマザーボード基板２５側のコネクタ２６にＨＤＤ３のインターフェース基板５側のコネクタ７が結合し、これによって筐体側のマザーボ−ドとＨＤＤ本体が電気的に接続される。
【００１５】
なお、本例の筐体２では、その内部においてＨＤＤ３を５台ごとに仕切る仕切り板２７が２箇所に設けられており、この仕切り板２７によって筐体２を補強し、筐体２の上に関連機器を載せた際の荷重にも充分に耐え得る構造としてある。
【００１６】
上記の如く構成される本例のハードディスクアレイユニット１においては、筐体２にＨＤＤ装置３が挿入装着された状態で、ＨＤＤ装置３の着脱方向の固定が行なわれ、さらにこのＨＤＤ装置３の着脱方向と直交する２方向すなわち左右方向及び上下方向の固定も行なわれるようになっている。
【００１７】
先ず、ＨＤＤ装置の着脱方向の固定について説明する。
ＨＤＤ装置の着脱方向の固定手段は、図５に示すように、キャディ４の前部に取り付けられるセルフロックレバー９と、板金１９の前端部に折曲形成されるロック板部２０と、により構成される。なお、この着脱方向の固定手段は、ハードディスクアレイユニット１の上下両側に対称的に設けられるものである。
【００１８】
セルフロックレバー９は、２つのレバーすなわち操作レバー１０とロックレバー１１とを有して構成される。この操作レバー１０とロックレバー１１は、夫々ＨＤＤ３のキャディ４に軸１２と１３を支点として回動自在に取り付けられており、互いに噛み合う形状に形成されている。そして、ＨＤＤ装置３が板金１９のストッパー部２１に突き当たるまで挿入された状態では、図５に示すように、ロックレバー１１のロック片部１１ａの係合縁１１ｂが板金１９のロック板部２０の内側に当接係合し、そこで操作レバー１０を操作してその突片部１０ａがロックレバー１１の突片部１１ｃを押さえ付ける状態とすることにより、ロックレバー１１はその状態で回転しないようにロックされる。このようにしてセルフロックレバー９がロックされた状態では、ＨＤＤ装置３は板金１９の前端のロック板部２０と後端のストッパー部２１との間で突っ張る状態で着脱方向に対し確実に固定される。
【００１９】
ここで本例の構造では、このセルフロックレバー９がロックされたときの寸法関係として、板金１９の前端のロック板部２０と後端のストッパー部２１との間の寸法を、ＨＤＤ装置３側のロックレバー１１の係合縁１１ｂとガイドレール３０の後端突き当て部３０ａとの間の寸法よりも僅かに(０．３ｍｍ程度)小さくすることで、板金１９を撓ませるようにしている。そのため、この板金１９の撓みの負荷によってＨＤＤ装置３は、より確実に着脱方向に固定されることになる。
【００２０】
このＨＤＤ装置の着脱方向の固定を解除する場合は、図５に示す状態からセルフロックレバー９の操作レバー１０を操作してその突片部１０ａをロックレバー１１の突片部１１ｃから外すことにより、ロックレバー１１はロックが解除されて回動自在となり、このため筐体２のスロット１５からＨＤＤ３を自由に引き出すことができる状態となる。
【００２１】
次に、ＨＤＤ装置の左右方向及び上下方向の固定手段について図６〜図１０を参照して説明する(本例では、この左右方向及び上下方向の固定手段が特許請求の範囲における第１及び第２の固定手段に相当する)。この左右方向及び上下方向の固定手段は、何れも、筐体２側のスロット１５とＨＤＤ装置３側のガイドレール３０との間に構成されるものである。
【００２２】
左右方向の固定手段は、ＨＤＤ装置３のガイドレール３０に設けられ、一部に突起３１ａを有する梁部３１と、この梁部３１に対応してスロット１５側に設けられる固定板２２と、により構成される。
ＨＤＤ装置３のキャディ４の上下に取り付けられるガイドレール３０は、ＰＢＴ(ポリブチレンテレフタレート)などの合成樹脂を材料としたモールド成形品であり、図６に示す如くこのガイドレール３０には、その一側面の前後２箇所に固定手段を構成する梁部３１が形成されている。この梁部３１は、ガイドレール３０に抜き穴３２を設けることによって形成される薄肉のモールド部分であり、その外側面の中央には突起３１ａが形成されている。この突起３１ａは、固定板２２に対しスムーズに当接されるように、その先端部が挿入方向に対し傾斜するテーパ形状に形成されている。
【００２３】
さらにガイドレール３０には、抜き穴３２の部分において梁部３１の内側に、弾性補助部材として金属製の板バネ３４が組み込まれている。そして、この板バネ３４には、梁部３１の内側面の中央に形成された小突起３１ｂが当接されている。この板バネ３４としては、例えばステンレス板が好適に用いられる。
【００２４】
このガイドレール３０の梁部３１の突起３１ａに対応して筐体２側のスロット１５には、図４に示す如く、前後２箇所に固定板２２が設けられている。この固定板２２は、板金１９の一部を切り起こして形成されるもので、これがスロット板１６のレール１７の中途部に形成された穴２３を通して突出されている。
【００２５】
この構成において、ガイドレール３０をスロット１５に挿入した状態でのガイドレール３０の突起３１ａと固定板２２の対応関係を見ると、図７(Ａ)に示す如く、両者は僅かな寸法ａ(０．５ｍｍ程度)で重なるようになっている。従って、ＨＤＤ３がスロット１５の奥まで挿入された状態では、図７(Ｂ)に示すように、ガイドレール３０の突起３１ａが固定板２２に当接することで、モールドの梁部３１及び板バネ３４が挿入方向に対し横方向へ歪む状態となる。そして、その歪みの応力で横方向の力を発生させて、ガイドレール３０をスロット１５のレール１８側に押し付けることにより、ＨＤＤ装置３の左右方向の固定を行なっている。
【００２６】
この左右方向の固定手段では、梁部３１の内側に弾性補助部材として板バネ３４を組み込んだことで歪み応力が増大し、これによってさらに確実な固定が行なわれる。ここでは、熱の影響を受けやすく応力値のバラつきが大きいモールドの梁部３１よりも金属製の板バネ３４の歪み応力が大きくなるように設計している。この構成においては、梁部３１及び板バネ３４の長さ、厚み、幅を適宜設定することにより、発生させる応力の調整が可能である。
【００２７】
本例においてこの左右方向の固定手段は、上下で前後２箇所ずつ、計４箇所に構成されており、設計上では１箇所につき１０．２ｋｇｆの歪み応力を発生させ、これが４箇所で合計４０．８ｋｇｆの力で固定を行なっている。
【００２８】
また本例の構成では、ＨＤＤ装置３をスムーズに着脱できるように、ガイドレール３０の前後２箇所の突起３１ａをオフセットさせた構造としてある。すなわち本例においては、ガイドレール３０の前方の突起３１ａ(Ｆ)に対し後方の突起３１ａ(Ｒ)を約０．７ｍｍ引込ませて形成している(これに対応してスロット１５側の前後の固定板２２(Ｆ)と２２(Ｒ)も横方向にオフセットさせている)。このため、ＨＤＤ装置３の着脱時には、ガイドレール３０の後方の突起３１ａ(Ｒ)がスロット１５の前方の固定板２２(Ｆ)に引っ掛かることはなく、スムーズな着脱が行なわれる。
【００２９】
なお、上記の構成では、ガイドレール３０に組み込まれる弾性補助部材として板バネ３４を用いてあるが、この板バネ３４に代えて、図８に示すようなコイルバネ３５を組み込んだ構成としてもよい。
【００３０】
続いて、上下方向の固定手段について説明する。
上下方向の固定手段は、ガイドレール３０に形成されたテーパ状の隆起部３７と、この隆起部３７に対応してスロット１５側に設けられたテーパ溝３９と、により構成される。
図６に示すように、ガイドレール３０には、突起３１ａがある側面とは逆の側面において、前後２箇所に隆起部３７と３８が設けられている。この隆起部３７と３８は、ＨＤＤ装置３を奥まで挿入したときにスロット１５のレール１８に接してスロット１５からの横方向の力を受ける部分であり、ここで固定手段を構成する前方の隆起部３７は、裾広がりのテーパ形状に形成されている。なお、このテーパ状の隆起部３７は、下側のガイドレールのみに設けられており、上側のガイドレールでは、この前方の隆起部３７は後方の隆起部３８と同じ単純な隆起形状に形成されている。
【００３１】
一方、図４に示す如くスロット１５側には、レール１８の内面側に沿って、ガイドレール３０の前方の隆起部３７と対応する傾斜面を有するテーパ溝３９が形成されている。
そして、ＨＤＤ装置３がスロット１５の奥まで挿入された状態では、図９に示すように、隆起部３７がテーパ溝３９に嵌合し、そのテーパによって発生する下方向の力を利用してガイドレール３０をスロット１５に押し付けて、上下方向の固定を行なっている。
【００３２】
図１０は、このテーパによる上下方向の固定の詳細な説明図であり、すなわちＨＤＤ装置３がスロット１５の奥まで挿入されると、先ず前述したようにガイドレール３０の突起３１ａがスロット１５側の固定板２２に当接することによって横方向の力(Ｆ１)が発生し、ガイドレール３０がスロット１５のレール１８に押し付けられ、そこで隆起部３７とテーパ溝３９の間のテーパによって、隆起部３７がテーパ溝３９にもぐり込む力(Ｆ２)が発生する。この力の垂直成分がガイドレール３０をスロット１５に押し付ける力(Ｆ３)となり、これによってＨＤＤ装置の上下方向の固定が行なわれる。
【００３３】
ここで特に本例の構造では、ガイドレール３０の隆起部３７を、テーパ溝３９に対し小さい傾斜角度のテーパに形成し、これによって隆起部３７がテーパ溝３９にもぐり込みやすい構造としてあるので、より確実な固定が行なわれる。
【００３４】
また本例においては、前述した如く、ガイドレール３０の前方の隆起部３７だけをテーパ形状とし、この部分でのみ上下方向の固定を行なっている。これに対し後方の隆起部３８はスロット１５のレール１８に接するだけで、上下方向の規制はない。このようにガイドレール３０の後方すなわちＨＤＤ装置３の奥側の上下方向の規制をなくしたことにより、ＨＤＤ３のインターフェース基板５のコネクタ７と筐体２側のマザーボード基板２５のコネクタ２６との結合部にかかる負荷が低減されるので、コネクタの破損等が生じるおそれはない。
【００３５】
以上のように本例のハードディスクアレイユニット１では、筐体２にＨＤＤ３が挿入装着された状態で、ＨＤＤ装置３の着脱方向の固定に加えて、このＨＤＤ装置３の着脱方向と直交する２方向すなわち左右方向及び上下方向の固定が行なわれるので、ＨＤＤ装置３は筐体２内で一切のガタつきが生じることなく確実に固定され、強い振動・衝撃にも耐えることが可能となる。またこの構造は、ネジ等を使用しない固定構造であるため、容易に着脱が可能である。
【産業上の利用可能性】
【００３６】
本発明による固定構造は、上記実施例に示したハードディスクアレイユニットに限ることなく、様々な電子機器に適用することができる。
図１１は、ＰＣ(パーソナルコンピュータ)に本発明を適用した例を示す。図において４０はＰＣ本体、４１はモニタ、４２はキーボードであり、ここでＰＣ本体４０に着脱可能に装着されるＣＤ−ＲＯＭやＤＶＤなどの光ディスクドライブ装置４３の固定構造に本発明が適用される。すなわちこの場合、ＰＣ本体４０側に図４に示すようなスロット１５を設けると共に、光ディスクドライブ装置４３側に図６に示すようなガイドレール３０を取り付けることにより、光ディスクドライブ装置４３はＰＣ本体４０に装着された状態で左右方向及び上下方向にガタつくことなく確実に固定される。
【００３７】
さらにこのＰＣの他にも、本発明はディスクドライブ装置を備えた電子機器に広く適用することが可能である。
【図面の簡単な説明】
【００３８】
【図１】本発明の実施例であるハードディスクアレイユニットの全体構成を示す斜視図である。
【図２】実施例のハードディスクアレイユニットに搭載されるハードディスクドライブ装置を示す斜視図である。
【図３】実施例において、ハードディスクドライブ装置が装着される筐体を示す斜視図である。
【図４】実施例におけるスロットの構成を示す斜視図である。
【図５】実施例におけるセルフロックレバーの構成を示す側面図である。
【図６】実施例におけるガイドレールの構成を示す斜視図である。
【図７】実施例における主要部の構成を示す平面図である。
【図８】主要部の他の構成例を示す平面図である。
【図９】実施例における主要部の構成を示す縦断面図である。
【図１０】図９における固定構造の説明図である。
【図１１】本発明を適用したパーソナルコンピュータの構成を示す斜視図である。
【符号の説明】
【００３９】
１…ハードディスクアレイユニット、２…筐体、３…ハードディスクドライブ(ＨＤＤ)装置、１５…スロット、２２…固定板、３０…ガイドレール、３１…梁部、３１ａ…突起、３４…板バネ(弾性補助部材)、３７…隆起部、３９…テーパ溝
【図１】
2006302353.tif 000003
【図２】
2006302353.tif 000004
【図３】
2006302353.tif 000005
【図４】
2006302353.tif 000006
【図５】
2006302353.tif 000007
【図６】
2006302353.tif 000008
【図７】
2006302353.tif 000009
【図８】
2006302353.tif 000010
【図９】
2006302353.tif 000011
【図１０】
2006302353.tif 000012
【図１１】
2006302353.tif 000013